【手続補正書】
【提出日】平成19年12月13日(2007.12.13)
【手続補正１】
【補正対象書類名】特許請求の範囲
【補正対象項目名】全文
【補正方法】変更
【補正の内容】
【特許請求の範囲】
【請求項１】
コンポーネント又はアイテムを備えるコンテンツの組み合わせであるパッケージを提供するパッケージ提供装置において、
コンテンツ間の時間的関係と空間的関係とを表示する関係メタデータを含むパッケージメタデータを生成するパッケージメタデータ生成手段と、
前記パッケージメタデータを提供する提供手段と
を備えることを特徴とするパッケージ提供装置。
【請求項２】
前記時間的関係が、
絶対的な時間情報又は相対的な時間情報を含むことを特徴とする請求項１に記載のパッケージ提供装置。
【請求項３】
前記空間的関係が、
相対的な距離情報を含むことを特徴とする請求項１に記載のパッケージ提供装置。
【請求項４】
前記空間的関係が、
ユーザのインタフェースに応じる相対的な大きさの情報を含むことを特徴とする請求項３に記載のパッケージ提供装置。
【請求項５】
コンポーネント又はアイテムを備えるコンテンツの組み合わせであるパッケージを消費するパッケージ消費装置において、
コンテンツ間の時間的関係と空間的関係とを表示する関係メタデータを含むパッケージメタデータを獲得する獲得手段と、
前記獲得したパッケージメタデータの前記関係メタデータを解析する解析手段と
を備えることを特徴とするパッケージ消費装置。
【請求項６】
前記時間的関係が、
絶対的な時間情報又は相対的な時間情報を含むことを特徴とする請求項５に記載のパッケージ消費装置。
【請求項７】
前記空間的関係が、
相対的な距離情報を含むことを特徴とする請求項５に記載のパッケージ消費装置。
【請求項８】
前記空間的関係が、
ユーザのインタフェースに応じる相対的な大きさの情報を含むことを特徴とする請求項７に記載のパッケージ消費装置。
【請求項９】
コンポーネント又はアイテムを備えるコンテンツの組み合わせであるパッケージを提供するパッケージ提供方法において、
コンテンツ間の時間的関係と空間的関係とを表示する関係メタデータを含むパッケージメタデータを生成するパッケージメタデータ生成ステップと、
前記パッケージメタデータを提供する提供ステップと
を含むことを特徴とするパッケージ提供方法。
【請求項１０】
前記時間的関係が、
絶対的な時間情報又は相対的な時間情報を含むことを特徴とする請求項９に記載のパッケージ提供方法。
【請求項１１】
前記空間的関係が、
相対的な距離情報を含むことを特徴とする請求項９に記載のパッケージ提供方法。
【請求項１２】
前記空間的関係が、
ユーザのインタフェースに応じる相対的な大きさの情報を含むことを特徴とする請求項１１に記載のパッケージ提供方法。
【請求項１３】
コンポーネント又はアイテムを備えるコンテンツの組み合わせであるパッケージを消費するパッケージ消費方法において、
コンテンツ間の時間的関係と空間的関係とを表示する関係メタデータを含むパッケージメタデータを獲得する獲得ステップと、
前記獲得したパッケージメタデータの前記関係メタデータを解析する解析ステップと
を含むことを特徴とするパッケージ消費方法。
【請求項１４】
前記時間的関係が、
絶対的な時間情報又は相対的な時間情報を含むことを特徴とする請求項１３に記載のパッケージ消費方法。
【請求項１５】
前記空間的関係が、
相対的な距離情報を含むことを特徴とする請求項１３に記載のパッケージ消費方法。
【請求項１６】
前記空間的関係が、
ユーザのインタフェースに応じる相対的な大きさの情報を含むことを特徴とする請求項１６に記載のパッケージ消費方法。
【請求項１７】
コンポーネント又はアイテムを備えるコンテンツの組み合わせであるパッケージを提供して消費するシステムにおいて、
コンテンツ間の時間的関係と空間的関係とを表示する関係メタデータを含むパッケージメタデータを生成するパッケージメタデータ生成手段と前記パッケージメタデータを提供する提供手段とを備えるパッケージ提供装置と、
前記パッケージメタデータを獲得する獲得手段と前記獲得したパッケージメタデータの前記関係メタデータを解析する解析手段とを備えるパッケージ消費装置と
を備えることを特徴とするシステム。
【請求項１８】
前記時間的関係が、
絶対的な時間情報又は相対的な時間情報を含むことを特徴とする請求項１７に記載のシステム。
【請求項１９】
前記空間的関係が、
相対的な距離情報を含むことを特徴とする請求項１７に記載のシステム。
【請求項２０】
前記空間的関係が、
ユーザのインタフェースに応じる相対的な大きさの情報を含むことを特徴とする請求項１９に記載のシステム。
【請求項２１】
コンポーネント又はアイテムを備えるコンテンツの組み合わせの関係を表示する関係メタデータにおいて、
コンテンツ間の時間的関係と空間的関係とを表示することを特徴とする関係メタデータ。
【請求項２２】
前記時間的関係が、
絶対的な時間情報又は相対的な時間情報を含むことを特徴とする請求項２１に記載の関係メタデータ。
【請求項２３】
前記空間的関係が、
相対的な距離情報を含むことを特徴とする請求項２１に記載の関係メタデータ。
【請求項２４】
前記空間的関係が、
ユーザのインタフェースに応じる相対的な大きさの情報を含むことを特徴とする請求項２３に記載の関係メタデータ。
【手続補正２】
【補正対象書類名】明細書
【補正対象項目名】００１８
【補正方法】変更
【補正の内容】
【００１８】
上記目的を達成するための本発明のパッケージ提供装置は、コンテンツ間の時間的関係と空間的関係とを表示する関係メタデータを含むパッケージメタデータを生成するパッケージメタデータ生成手段と、前記パッケージメタデータを提供する提供手段とを備える。
また、上記目的を達成するための本発明のパッケージ消費装置は、コンテンツ間の時間的関係と空間的関係とを表示する関係メタデータを含むパッケージメタデータを獲得する獲得手段と、前記獲得したパッケージメタデータの前記関係メタデータを解析する解析手段とを備える。
また、上記目的を達成するための本発明のパッケージ提供方法は、コンテンツ間の時間的関係と空間的関係とを表示する関係メタデータを含むパッケージメタデータを生成するパッケージメタデータ生成ステップと、前記パッケージメタデータを提供する提供ステップとを含む。
また、上記目的を達成するための本発明のパッケージ消費方法は、コンテンツ間の時間的関係と空間的関係とを表示する関係メタデータを含むパッケージメタデータを獲得する獲得ステップと、前記獲得したパッケージメタデータの前記関係メタデータを解析する解析ステップとを含む。
【手続補正３】
【補正対象書類名】明細書
【補正対象項目名】００１９
【補正方法】変更
【補正の内容】
【００１９】
また、上記目的を達成するための本発明のシステムは、コンテンツ間の時間的関係と空間的関係とを表示する関係メタデータを含むパッケージメタデータを生成するパッケージメタデータ生成手段と前記パッケージメタデータを提供する提供手段とを備えるパッケージ提供装置と、前記パッケージメタデータを獲得する獲得手段と前記獲得したパッケージメタデータの前記関係メタデータを解析する解析手段とを備えるパッケージ消費装置とを備える。
また、上記目的を達成するための本発明の関係メタデータは、コンテンツ間の時間的関係と空間的関係とを表示する。